(57)【要約】      （修正有）【課題】重量の大きい荷であっても、荷の出し入れに負担がかからない宅配ボックスを提供する。【解決手段】正面全体に開口部が形成された箱型状のボックス本体１１と、開口部の下辺部に沿う支持ピン周りに所定角度範囲で傾動されて開口部を開閉自在な正面扉２１と、ボックス本体１１に設けられて閉鎖状態の前記正面扉を係脱自在な開閉錠と、を具備し、正面扉２１の内面に、上面が開放された荷受ボックス２２が設けられた。【選択図】図３
0003211742.tif 000002
【実用新案登録請求の範囲】
【請求項１】
正面全体に開口部が形成された箱型状のボックス本体と、
前記開口部の下辺部に沿う開閉軸心周りに所定角度範囲で傾動されて当該開口部を開閉自在な正面扉と、
前記ボックス本体に設けられて閉鎖状態の前記正面扉を係脱自在な開閉錠と、を具備した
ことを特徴とする宅配ボックス。
【請求項２】
正面扉の内面に、上面が開放されるとともに少なくとも荷を下方から支持可能な底板を有する荷受部材が設けられた
ことを特徴とする請求項１記載の宅配ボックス。
【請求項３】
ボックス本体の天面部は、天板本体と、当該天板本体の前部で幅方向の軸心周りに開閉自在に配置された天板カバーと、天板カバー内に覆われて開閉錠を設置する錠収容室とを具備し、
前記天板本体と前記天板カバーの上面が同一平面で、かつ前部下方に傾斜する勾配を有し、
正面扉の内面に、前記錠収容室から流れ出る雨水を排出する排水樋材が設けられた
ことを特徴とする請求項１または２記載の宅配ボックス。
【請求項４】
中間位置から閉鎖限に至る正面扉の閉動速度を減速するダンパー装置を設けた
ことを特徴とする請求項２または３に記載の宅配ボックス。
【請求項５】
ダンパー装置は、中間位置から開放限に至る正面扉の開放速度を減速する
ことを特徴とする請求項４記載の宅配ボックス。
【考案の詳細な説明】
【技術分野】
【０００１】
本考案は、戸建て住宅や集合住宅の戸別に設置される宅配ボックスに関する。
【背景技術】
【０００２】
戸建て住宅などの玄関に設置される宅配ボックスでは、特許文献１に開示されるように、ボックスに片開きの正面扉を具備したものが一般的である。
【先行技術文献】
【特許文献】
【０００３】
【特許文献１】特開２００２−１４２９６１号公報
【考案の概要】
【考案が解決しようとする課題】
【０００４】
しかし、この種の宅配ボックスでは、荷受部が床面に近い位置にあることが多く、特に重量の大きい荷の出し入れに負担がかかる傾向にある。
【０００５】
本考案は、重量の大きい荷であっても、利用者の荷の出し入れの負担を軽減できる宅配ボックスを提供することを目的とする。
【課題を解決するための手段】
【０００６】
請求項１に係る考案は、
正面全体に開口部が形成された箱型状のボックス本体と、
前記開口部の下辺部に沿う開閉軸心周りに所定角度範囲で傾動されて当該開口部を開閉自在な正面扉と、
前記ボックス本体に設けられて閉鎖状態の前記正面扉を係脱自在な開閉錠と、を具備したことを特徴とする。
【０００７】
また請求項２に係る考案は、上記構成において、
正面扉の内面に、上面が開放されるとともに少なくとも荷を下方から支持可能な底板を有する荷受部材が設けられたものである。
【０００８】
請求項３に係る考案は、上記構成において、
ボックス本体の天面部は、天板本体と、当該天板本体の前部で幅方向の軸心周りに開閉自在に配置された天板カバーと、天板カバー内に覆われて開閉錠を設置する錠収容室とを具備し、
前記天板本体と前記天板カバーの上面が同一平面で、かつ前部下方に傾斜する勾配を有し、
正面扉の内面に、前記錠収容室から流れ出る雨水を排出する排水樋材が設けられたものである。
【０００９】
請求項４に係る考案は、上記構成において、
中間位置から閉鎖限に至る正面扉の閉動速度を減速するダンパー装置を設けたものである。
【００１０】
請求項５に係る考案は、上記構成において、
ダンパー装置は、中間位置から開放限に至る正面扉の開放速度を減速するものである。
【考案の効果】
【００１１】
請求項１記載の考案によれば、荷の搬入時に、正面扉の上部を前方に引き出して前傾させることで開口部を開放し、上方から正面扉の内面上に荷を投入すると、荷は正面扉の内面に沿ってボックス本体の底面部上に送り込まれる。そして正面扉の上部をボックス本体に押し込んで開口部を閉鎖する。これにより、荷を宅配ボックス内に容易に搬入することができる。
【００１２】
請求項２記載の考案によれば、荷の搬入に際して、正面扉の上部を前方に引き出して前傾させることで開口部を開放し、上方から正面扉の内面上に荷を投入すると、荷は荷受部材の底板上に送り込まれる。そして正面扉の上部をボックス本体に押し込んで開口部を閉鎖する。これにより、荷を宅配ボックス内に容易に搬入することができる。また荷の搬出に際して、正面扉の上部を前方に引き出して荷受部材の底板上の荷をボックス本体内から前方に引き出して前傾させ、取り出せばよい。これにより、ボックス本体の床面部から荷を持ち上げた前傾状態で取り出すことができ、利用者の身体への負担を軽減することができる。またボックス本体内では、荷が荷受部材の底板上に収納されることから、雨水などがボックス本体内に浸水することがあっても、荷が水濡れすることがない。
【００１３】
請求項３記載の考案によれば、天板本体と天板カバーとを前部下方に傾斜させることで、宅配ボックスを露天に配置した時の雨水をスムーズに排水することができる。
【００１４】
請求項４記載の考案によれば、荷受部材上に重量の大きい荷が収納されていても、ダンパー装置により、荷の重みで正面扉が急に勢い良く閉じることがなくなり、安全性を向上することができる。
【００１５】
請求項５記載の考案によれば、ダンパー装置により、荷の重みで正面扉が急激に開くのを防止することができ、安全性を向上することができる。
【図面の簡単な説明】
【００１６】
【図１】本考案に係る宅配ボックスの実施例を示す斜視図である。
【図２】宅配ボックスの側面図である。
【図３】宅配ボックスの縦断面を示す斜視図である。
【図４】正面扉の開放状態を示す斜視図である。
【図５】正面扉の内面を示す斜視図である。
【図６】図４に示すＡ部拡大断面図である。
【図７】開閉錠を示す平面図である。
【図８】他の実施例を示し、正面扉の開放状態を示す斜視図である。
【考案を実施するための形態】
【００１７】
［実施例］
以下、本考案に係る宅配ボックスの実施例を図１〜図７に基づいて説明する。
【００１８】
（全体構造）
図１〜図５に示すように、この宅配ボックスは、箱型状のボックス本体１１と、このボックス本体１１の正面に開閉自在に配置された正面扉２１とを具備している。ボックス本体１１は、左右の側面部１１Ｌ，１１Ｒと背面部１１Ｂと上面部１１Ｕと底面部１１Ｄを具備し、正面全体が開放されて開口部１２が形成された略直方体の箱型状に形成されている。この開口部１２には、開口部１２の下辺部に沿って配置された支持ピン２１ｏを介して、正面扉２１が開閉軸心Ｏ１周りにたとえば４０〜５０°の範囲から選択される所定の開放角θまで傾動自在に支持され、開口部１２を開閉することができる。ここで開放角θが４０°未満では、荷Ｐの取り出しに支障をきたす恐れがあるからであり、開放角θが５０°を超えると、荷Ｐによる正面扉２１への負担が大きくなり、ボックス本体１１をアンカーなどで床面に固定していないと、ボックス本体１１が前傾したり、前倒しになるおそれがあるからである。
【００１９】
（正面扉）
正面扉２１は、内面に上面が開放された荷受ボックス（荷受部材）２２が設けられている。この荷受ボックス２２は、図４，図５に示すように、正面扉２１の正面板２１ａから後方に延びる左右の側板２２Ｌ，２２Ｒと、正面板２１ａから後方に延び左右側板２２Ｌ，２２Ｒ間の底面を覆い、荷Ｐを下方から支持する底板（荷受用底板）２２Ｄと、左右側板２２Ｌ，２２Ｒの奥端部間を連結する背面部材２２Ｂとを備え、上面が開放された箱型に形成されている。そして、正面扉２１の閉鎖状態において、荷受ボックス２２の底板２２Ｄは、ボックス本体１１の底面部１１Ｄに所定の隙間をあけて上位に配置され、これにより、ボックス本体１１内が浸水しても、荷Ｐの水濡れを防止することができる。なお、ここで荷受部材は荷の安定した取り扱いのために上面開放の荷受ボックス２２としたが、これは、荷Ｐをより安定して取り扱うためであり、少なくとも荷Ｐを下方から支持する底板２２Ｄがあれば同一の機能を奏することができる。
【００２０】
また正面板２１ａの内面中央に上下方向に沿って補強部材２３が配置され、補強部材２３の上端部に、後述する開閉錠３１の被掛止片２４が設けられている。さらに正面板２１ａの内面に、宅配用認め印を入れるスタンプホルダー２５が設けられている。２７Ｒ，２７Ｌは左右の側板２２Ｌ，２２Ｒの外面に設けられたストッパで、左右側面部１１Ｌ，１１Ｒの前縁部に係止されて正面扉２１の開放角θを規制する。
【００２１】
ここで、荷受ボックス２２は、宅配に供される十分大きい荷Ｐを収納可能な大きさに形成されている。また正面扉２１を前部下方に引き下ろして開放角θまで傾斜させ開口部１２を開放することで、荷受ボックス２２内の荷Ｐをボックス本体１１内から引き出して前傾姿勢として、荷Ｐを取り出しやすくすることができる。これにより、重量の大きい荷Ｐであっても、荷Ｐを取り出す利用者の負担を軽減することができる。
【００２２】
また、ボックス本体１１の背面部１１Ｂと荷受ボックス２２の背面部材２２Ｂの間に、ダンパー装置であるオイルダンパー１７がヒンジを介して連結されている。これは、荷受ボックス２２内に重い（たとえば１２ｋｇg前後）荷Ｐを入れた時に、荷Ｐの重みで勢い良く正面扉２１が閉まり、ボックス本体１１と正面扉２１の間に手や指を挟み込む恐れがあり、これを防止するためである。このオイルダンパー１７は、図２に示すように、正面扉２１の中間位置Ｄｍから閉鎖限Ｄｃに至る閉動速度、および正面扉２１の中間位置Ｄｍから開放限Ｄｏに至る開放速度をそれぞれ減速して、正面扉２１の閉鎖限Ｄｃおよび開放限Ｄｏで生じる衝撃を緩和することができる。ここで中間位置Ｄｍとは、オイルダンパー１７が最も収縮する位置をいう。したがって、このオイルダンパー１７を設けたことにより、荷受ボックス２２内に重い荷Ｐが入った正面扉２１をゆっくりと閉じることができ、安全性を向上させることができる。また荷受ボックス２２内に重い荷Ｐが入った正面扉２１を開ける時も同様である。
【００２３】
なお、ここでオイルダンパー１７は閉動速度と開放速度をそれぞれ減速するように構成したが、オイルダンパー１７の取付位置を調整することにより、閉動速度のみを減速することもできる。
【００２４】
（ボックス本体）
図２に示すように、ボックス本体１１の上面部１１Ｕは、雨水を排水可能なように、前部下方に傾斜する勾配βが設けられている。すなわち、ボックス本体１１の上面部１１Ｕに、天板本体１３と、開閉自在な天板カバー１４と、天板カバー１４に覆われた錠収容室１６とが具備されている。天板本体１３はボックス本体１１に固定され、天板カバー１４は天板本体１３の前部に天板本体１３と同一幅に形成され、ヒンジ１５を介して後辺に沿う軸心Ｏ２周りにボックス本体１１に開閉自在に支持されている。天板カバー１４内には、図４，図６に示すように、錠収容室１６が設けられており、その床板１６ａの前部中央に開閉錠３１が設置されている。
【００２５】
そして、天板本体１３の上面と天板カバー１４の上面は同一平面で、かつ前部下方に傾斜して雨水を流下する勾配βを有するように取り付けられている。また錠収容室１６の床板１６ａも勾配βを有している。さらに正面扉２１の正面板２１ａの内面で、床板１６ａの前辺部より下位に、排水樋材２６が全幅にわたって幅方向に取り付けられて、両端が開放されている。これにより、露天などに置かれた場合に雨水を排水することができる。すなわち、図６に示すように、天板本体１３上から流下された雨水が、天板本体１３と天板カバー１４の隙間から錠収容室１６に流入され、床板１６ａ上を通ってチャンネル形断面の排水樋材２６に受け止められ、排水樋材２６の両端から外部に排出される。
【００２６】
（開閉錠）
錠収容室１６に設けられる開閉錠３１は、図６，図７に示すように、閉錠をキーＫによる操作なしで閉錠を行えるもので、床板１６ａを貫通して取り付けられている。開閉錠３１は、鍵穴３２を有する円柱状の錠本体３３に、キー操作なしで閉錠のみ操作可能な操作リング３４が外側に嵌合されている。そして錠本体３３および操作リング３４に連動してラッチ３５を回動し被掛止片２４に係合、離脱することができる。
【００２７】
開閉錠３１の操作を説明する。まず荷Ｐの受取人が、開閉錠３１をキー操作で待機（開）位置（イ）とし、正面扉２１と天板カバー１４を閉じておく。
【００２８】
荷Ｐの配達人は、天板カバー１４と正面扉２１を開けて、スタンプホルダー２５から取り出した宅配用認め印を書類に押印してスタンプホルダー２５に戻すとともに、荷Ｐを荷受ボックス２２内に投入する。そして正面扉２１を閉じる。そして操作リング３４を閉位置（ロ）まで回動することにより、錠本体３３と共にラッチ３５が回動されて被掛止片２４に係合される。さらに天板カバー１４を閉じる。
【００２９】
この閉位置（ロ）では、キー操作なしでは正面扉２１を開錠することができない。また閉位置（ロ）であることで、宅配ボックスが荷Ｐの受取り状態であることがわかる。受取人は、天板カバー１４を開けて、錠本体３３が閉位置（ロ）で宅配済みであるのを確認した後、キーＫを鍵穴３２に挿入して錠本体３３を待機位置（イ）まで回動する。これにより、錠本体３３に操作リング３４が同期して待機位置（イ）まで回動される。そして正面扉２１を開け、荷受ボックス２２から荷Ｐを取り出し、正面扉２１を閉じる。さらにキーＫを鍵穴３２から取り出して、天板カバー１４を閉じればよい。これにより、次の荷Ｐを受け取れる状態となる。
【００３０】
（実施例の効果）
上記実施例によれば、荷Ｐの搬入に際して、正面扉２１を前部下方に引き出して前傾させ開口部１２を開放するとともに荷受ボックス２２を前傾させることで、荷Ｐの配達人（利用者）は、正面扉２１の内面に沿って荷Ｐを荷受ボックス２２内に投入することができる。また荷Ｐの搬出に際して、荷Ｐの受取人（利用者）は、正面扉２１の上部を前方に引き出して開放されることで、荷受ボックス２２内の荷Ｐがボックス本体１１内から引き出されて前傾姿勢となることにより、荷Ｐをスムーズに取り出すことができる。これにより、利用者の負担を軽減することができる。
【００３１】
また、前部下方に傾斜された天板本体１３と天板カバー１４から、錠収容室１６の床板１６ａを通って流下した雨水を、排水樋材２６から外部に排出することができ、宅配ボックスが露天に配置されたとしても、上面部１１Ｕに雨水が溜まったり、宅配ボックスの内部に浸入することなく、スムーズに外部に排水することができる。
【００３２】
さらに、ボックス本体１１は荷受ボックス２２との二重構造に形成されるので、底板２２Ｄが、ボックス本体１１の底面部１１Ｄより上位に配置された荷受ボックス２２に荷Ｐが収容されるので、ボックス本体１１内が浸水することがあっても荷Ｐが水濡れすることがない。
【００３３】
さらにまた、オイルダンパー１７により、正面扉２１が中間位置Ｄｍから閉鎖限Ｄｃに至る閉動速度を減速して、荷受ボックス２２内に重い荷Ｐが入っていてもゆっくりと閉じることができる。これにより、ボックス本体１１と正面扉２１の間に手や指を挟み込む恐れが無くなり、安全性を向上させることができる。またこのオイルダンパー１７により、正面扉２１が中間位置Ｄｍから開放限Ｄｏに至る開放速度を減速して、正面扉２１をゆっくりと開けることができ、荷受ボックス２２内に重い荷Ｐが入っていても、正面扉２１の開放時の衝撃を緩和することができる。
【００３４】
［他の実施例］
図８は、宅配ボックスの他の実施例を示すもので、同一部材には同一符号を付して説明を省略する。
【００３５】
この他の実施例は、正面扉２１の内面に、荷Ｐを下方に案内するスライド板４１が設け、荷受ボックス２２を削除することで、オイルダンパー１７を不要としたものである。
【００３６】
上記構成において、荷Ｐの搬入に際し、開放状態の正面扉２１の内面に荷Ｐが投入されると、スライド板４１により荷Ｐが案内されてボックス本体１１の底面板１１Ｄ上に送り出される。これにより、荷Ｐの重みで正面扉２１が急激に閉動されることがなくなり、荷受ボックス２２やオイルダンパー１７を不要にすることができ、低コストに提供することができる。また荷の投入時に、正面扉２１のスライド板４１上に荷Ｐを送り込むので、従来のようにボックス本体１１の底面板１１Ｄ上に荷を送り込むのに比べて、容易に荷Ｐを投入することができ、利用者の身体への負担を少なくすることができる。
【００３７】
なお、上記構成において、スライド板４１を省略し、補強部材２３を幅広にすることでスライド板４１の代わりとしてもよい。スライド板４１が省略されることで、宅配ボックスの構造をより簡素化することができる。
【符号の説明】
【００３８】
θ    開放角
β    勾配
Ｐ    荷
１１    ボックス本体
１２    開口部
１３    天板本体
１４    天板カバー
１５    ヒンジ
１６    錠収容室（荷受部材）
１７    オイルダンパー（開閉緩衝具）
２１    正面扉
２２    荷受ボックス
２４    被掛止片
２６    排水樋材
３１    開閉錠
４１    スライド板
【図１】
0003211742.tif 000003
【図２】
0003211742.tif 000004
【図３】
0003211742.tif 000005
【図４】
0003211742.tif 000006
【図５】
0003211742.tif 000007
【図６】
0003211742.tif 000008
【図７】
0003211742.tif 000009
【図８】
0003211742.tif 000010